(57)【要約】【課題】撮像装置を大きくすることなく、レンズ鏡筒を駆動する円筒部材の外径側に外部装置の駆動に用いる第１の溝部、内径側に第１の溝部とは異なる第２の溝部を設けることができる撮像装置を提供する。【解決手段】撮像装置が、回転してレンズ鏡筒を駆動する駆動環３０と、駆動環３０の外径側に設けられたストロボカム３０ａと、ストロボカム３０ａに係合して追従するストロボフォロワー３９と、ストロボフォロワー３９を付勢する圧縮バネ４０と、ストロボフォロワー３９がストロボカム３０ａに追従することによって、ストロボカム３０ａに沿って移動するスライダ３７とを備える。そして、ストロボフォロワー３９は、第１の円筒部材の回転方向の第１の領域において第１の深さを有し、第２の領域において第１の深さより浅い第２の深さを有する。【選択図】図６
2011158792.tif 000002
【特許請求の範囲】
【請求項１】
回転してレンズ鏡筒を駆動する第１の円筒部材と、
前記第１の円筒部材の外径側に設けられた第１の溝部と、
前記第１の溝部に係合し、前記第１の円筒部材の回転に連動して前記第１の溝部に追従する追従部と、
前記追従部を前記第１の円筒部材の外周面の法線に沿った方向に付勢する第１の付勢部材と、
前記第１の付勢部材と前記追従部とが設けられ、前記追従部が前記第１の溝部に追従することによって、前記第１の溝部に沿って移動する可動部材と、
前記可動部材の移動を光軸方向に規制する規制部材とを備え、
前記第１の溝部は、前記第１の円筒部材の回転方向の第１の領域において第１の深さを有し、第２の領域において前記第１の深さより浅い第２の深さを有する
ことを特徴とする撮像装置。
【請求項２】
前記第１の領域における前記第１の溝部の幅が、前記第２の領域における該第１の溝部の幅より広い
ことを特徴とする請求項１に記載の撮像装置。
【請求項３】
前記第１の円筒部材の内径側に、光軸方向に進退し、かつ、前記第１の円筒部材から伝達される回転力によって前記光軸を中心として回転する第２の円筒部材が設けられており、
前記第２の円筒部材は、前記第１の円筒部材からの回転力を伝達する突起部材を備え、
前記第１の円筒部材は、前記突起部材が係合する第２の溝部を備え、
前記第１の領域は、前記第２の溝部が設けられていない領域であり、前記第２の領域は、前記第２の溝部が設けられている領域である
ことを特徴とする請求項１又は請求項２記載の撮像装置。
【請求項４】
前記第１の領域において、前記追従部と前記突起部材との前記第１の円筒部材の外周面の法線に沿った方向の位置が互いに重複し、
前記第２の領域において、前記追従部と前記突起部材との前記第１の円筒部材の外周面の法線に沿った方向の位置が互いに重複しない
ことを特徴とする請求項３に記載の撮像装置。
【請求項５】
回動して状態が収納状態から突出状態、又は突出状態から収納状態に切り替わる発光ユニットと、
前記突出状態と収納状態とにおいて前記発光ユニットを付勢することによって、該発光ユニットの状態を保つ第２の付勢部材とを有し、
前記可動部材は、前記第２の付勢部材による付勢力に抗して前記発光ユニットの状態を切り替えるための動力を該発光ユニットに伝達し、
前記第１の領域は、前記撮像装置が非撮影状態から撮影状態に移行するまでの間に前記可動部材が移動する領域であり、前記第２の領域は、前記撮像装置が撮影状態である場合に前記可動部材が移動する領域である
ことを特徴とする請求項１乃至４のいずれか１項に記載の撮像装置。
【請求項６】
前記可動部材はファインダーレンズである
ことを特徴とする請求項１乃至４のいずれか１項に記載の撮像装置。
【請求項７】
前記可動部材はストロボを保持する保持部材である
ことを特徴とする請求項１乃至４のいずれか１項に記載の撮像装置。
【発明の詳細な説明】
【技術分野】
【０００１】
本発明は、撮像装置に関するものである。
【背景技術】
【０００２】
ファインダーや、ズーム又はポップアップ可能なストロボ等の外部装置を備える撮像装置であって、レンズ鏡筒の駆動に連動して外部装置を駆動させる撮像装置が提案されている。例えば、下記の特許文献１は、レンズ鏡筒の沈胴位置からの繰出し動作と沈胴位置への繰り込み動作に連動し、ファインダーのレンズを光軸方向に駆動させたり、ストロボを突出又は収納したりするカメラを提案している。このカメラは、レンズ鏡筒の外周に回転運動するカム筒を備える。そして、カム筒の外側のカム溝にファインダー、ストロボの保持枠に施されたフォロワーピンが係合して回転することにより、ファインダーレンズの移動、又はストロボの突出、収納動作が行われる。
【先行技術文献】
【特許文献】
【０００３】
【特許文献１】特開平０７−１９９２９５号公報
【発明の概要】
【発明が解決しようとする課題】
【０００４】
上記特許文献１が提案するカメラでは、フォロワーピンの掛かり量は常に一定である。従って、ファインダー又はストロボを駆動させるカム筒の内側に、このカム筒の外側に設けられたカム溝とは異なる他のカム溝や直進溝等の凹部を設ける場合には、カム筒の肉厚の中で内側と外側の溝の深さを割り振る必要がある。例えば、カム筒の内側と外側とで溝が交差しないようにレイアウトするか、交差部については溝を貫通させてしまうか、又は、貫通させない場合はカム筒の肉厚を増やす等の対策を講じる必要がある。しかし、カム筒の内側と外側とで溝が交差しないようにレイアウトする場合には、溝のレイアウトが制限されるという問題がある。また、溝の交叉部について溝を貫通させる場合には、この貫通によって部品強度や光線漏れに弱くなるという問題がある。また、カム筒の肉厚を増やす場合には、カメラ全体が大きくなってしまうという問題がある。
【０００５】
本発明は、上述した問題の少なくとも一つを解決するためになされたものである。本発明は、撮像装置を大きくすることなく、レンズ鏡筒を駆動する円筒部材の外径側に外部装置の駆動に用いる第１の溝部、内径側に第１の溝部とは異なる第２の溝部を設けることができる撮像装置を提供することを目的とする。
【課題を解決するための手段】
【０００６】
本発明の一実施形態の撮像装置は、回転してレンズ鏡筒を駆動する第１の円筒部材と、前記第１の円筒部材の外径側に設けられた第１の溝部と、前記第１の溝部に係合し、前記第１の円筒部材の回転に連動して前記第１の溝部に追従する追従部と、前記追従部を前記第１の円筒部材の外周面の法線に沿った方向に付勢する第１の付勢部材と、前記第１の付勢部材と前記追従部とが設けられ、前記追従部が前記第１の溝部に追従することによって、前記第１の溝部に沿って移動する可動部材と、前記可動部材の移動を光軸方向に規制する規制部材とを備える。前記第１の溝部は、前記第１の円筒部材の回転方向の第１の領域において第１の深さを有し、第２の領域において前記第１の深さより浅い第２の深さを有する。
【発明の効果】
【０００７】
本発明によれば、撮像装置を大きくすることなく、レンズ鏡筒を駆動する円筒部材の外径側に外部装置の駆動に用いる第１の溝部、内径側に第１の溝部とは異なる第２の溝部を設けることができる。
【図面の簡単な説明】
【０００８】
【図１】撮像装置の外観斜視図の例である。
【図２】レンズ鏡筒の分解斜視図の例である。
【図３】発光ユニットの分解斜視図の例である。
【図４】レンズ鏡筒と発光ユニットとの連動を説明する図である。
【図５】発光ユニットの状態の切り替わりを説明する図である。
【図６】撮像装置の操作に伴うスライダの動作例を示す図である。
【図７】駆動環に設けられた溝の位置関係を示す図である。
【図８】撮像装置が備えるファインダー及びストロボの動作を説明する図である。
【図９】ストロボフォロワーの動作を説明する図である。
【発明を実施するための形態】
【０００９】
図１から図７を参照して、本発明の実施例１の撮像装置について説明する。この撮像装置は、例えばポップアップ可能な発光ユニット１を備えるカメラである。発光ユニット１は例えばストロボである。
【００１０】
図１は、実施例１の撮像装置の外観斜視図の例である。図１（Ａ）は、非発光状態である撮像装置を示す。図１（Ｂ）は、電源ＯＮしたときの撮像装置を示す。図１（Ｂ）に示す状態では、撮像装置上方に発光ユニット１が突出して、撮像装置が発光可能である。発光ユニット１は、撮像装置上面の一部を形成するカバー部材２など後述する複数の部品から構成される。発光ユニット１は、撮像装置中央に位置するレンズ鏡筒の駆動環３０（図２を参照）に連動して回動し、状態が収納状態から突出状態、又は突出状態から収納状態に切り替わる。
【００１１】
図２は、撮像装置が備えるレンズ鏡筒の分解斜視図の例である。このレンズ鏡筒の光学系は、１群レンズと２群レンズと、不図示のフォーカシングレンズである３群レンズとを備える。１群レンズは１群レンズホルダ１０に保持され、２群レンズは２群レンズホルダ１１に保持される。直進案内板１２は、フランジ部の外縁部に複数の突起１６が設けられている。この突起１６が固定カム環１７の内面に設けられた光軸方向へ伸びる複数の溝１８にそれぞれ係合することにより、回転動作を規制され且つ光軸方向へ移動自在に支持される。直進案内板１２には１群レンズホルダ１０の内面に形成された光軸方向へ延びる不図示の溝に係合し、１群レンズホルダ１０を光軸方向へ移動可能に支持する１群案内棒１３が設けられている。同様に、２群レンズホルダ１１の外周部に設けられた２群直進穴１４に係合し、２群レンズホルダ１１を光軸方向へ移動可能に支持する２群案内棒１５が一体的に設けられている。これらにより、１群レンズホルダ１０および２群レンズホルダ１１は光軸方向へ移動自在に構成される。
【００１２】
移動カム環１９は、駆動環３０の内径側に設けられている第２の円筒部材である。移動カム環１９は、移動カム環１９から伝達される回転力によって光軸を中心として回転する。移動カム環１９の外面部に３箇所角度等分に設けられたカムフォロワー２０は、固定カム環１７の内面に設けられた同形状の３本のカム２１にそれぞれカム係合する。移動カム環１９の回転に伴い、カムフォロワー２０はカム２１の軌跡に沿って係合位置が移動し、これにより移動カム環１９は回転しながら光軸方向に進退することができる。さらに、移動カム環１９の内面後端部に設けられたフランジ２２に、直進案内板１２のフック２３が係合することにより、直進案内板１２は移動カム環１９に対して回転自在に係合する。これにより、移動カム環１９の光軸方向への変位に伴い、直進案内板１２も共に光軸方向へ変位することができる。
【００１３】
１群レンズホルダ１０の外面部に３箇所角度等分に設けられた１群カムフォロワー２４は、移動カム環１９の内面に設けられた同形状の３本の１群カム２５にそれぞれカム係合する。移動カム環１９の回転に伴い、１群カムフォロワー２４は、１群カム２５の軌跡に沿って係合位置が移動する。また、前述のように１群レンズホルダ１０は光軸方向へ移動するよう案内されているので、１群レンズホルダ１０は、移動カム環１９の回転に伴い１群カム２５の光軸方向への変位量に合わせて変位する。
【００１４】
２群レンズホルダ１１の外面部に３箇所角度等分に設けられた２群カムフォロワー２６は、移動カム環１９の内面に設けられた同形状の３本の２群カム２７にそれぞれカム係合する。移動カム環１９の回転に伴い、２群カムフォロワー２６は、２群カム２７の軌跡に沿って係合位置が移動する。また、前述のように、２群レンズホルダ１１は光軸方向へ移動するよう案内されているので、２群レンズホルダ１１は、移動カム環１９の回転に伴い、２群カム２７の光軸方向への変位量に合わせて変位する。
【００１５】
移動カム環１９の外面に、駆動ピン２８が３箇所角度等分に設けられている。駆動ピン２８は、駆動環３０からの回転力を伝達する突起部材である。駆動ピン２８は、固定カム環１７の内面から外面に貫通するカム穴２９を貫通して固定カム環１７の外面から突出する。カム２１とカム穴２９の軌跡は同形状である。そして、駆動ピン２８は、移動カム環１９の固定カム環１７に対する回転繰出し移動に対して、カム穴２９の軌跡に沿って突出した状態を維持する。
【００１６】
駆動環３０は、固定カム環１７の外面に嵌合して回転自在に支持される。駆動環３０の内面には、光軸方向へ伸びる溝３１が３箇所角度等分に配置されている。溝３１は駆動ピン２８に係合する溝部（第２の溝部）である。これにより、駆動環３０の回転が溝３１と駆動ピン２８を介して移動カム環１９へと伝達される。上述のように、１群レンズホルダ１０、２群レンズホルダ１１、直進案内板１２、固定カム環１７、移動カム環１９および駆動環３０は一体となり、それぞれが連携して動作する。そしてこの一体となった部品は鏡筒ベース３２へと組み込まれる。さらに、不図示の撮像素子を保持する撮像素子ホルダ３３が鏡筒ベース３２とともに固定カム環１７のフランジ部分を挟み込むように固定されることでレンズ鏡筒が構成される。すなわち、駆動環３０は、回転してレンズ鏡筒を駆動する第１の円筒部材としての機能を有する。
【００１７】
レンズ鏡筒の駆動源４４は、電力を動力へと変換する電磁モータである。駆動源４４の動力は、ギア列４５を介して駆動環３０の外面に設けられた駆動環ギア４６へと伝達される。これにより、撮像装置本体からの駆動源４４への通電に応じて駆動環３０を回転させることができる。
【００１８】
図３は、発光ユニットの分解斜視図の例である。図３中に示すキセノン管４０１は発光体であり、リード線４０２で電気的に接続され、フレキシブル配線基板４０３を介して、発光制御を行うストロボ基板４０４に配線されている。反射笠４０５は、キセノン管４０１からの光を集光させる。キセノン管ゴム４０６は、キセノン管４０１の端子部の絶縁と、キセノン管４０１を反射笠４０５側へ付勢する機能を有する。プリズムパネル４０７は、キセノン管４０１からと前記反射笠４０５からの光を所望の撮影範囲に照射する。このために、プリズムパネル４０７は、入射面および射出面を備えている。キセノン管４０１とプリズムパネル４０７とキセノン管ゴム４０６と反射笠４０５等の発光関連部品は、ストロボホルダ４０８に組み込まれている。また、ストロボホルダ４０８には、ストロボシャフト３０２を回動中心に発光ユニット１を突出方向、収納方向に付勢するためのトグルバネ４０９の一端を引っ掛ける軸４１０が軽圧入されている。トグルバネ４０９の他端は、ストロボベース３０１に備える軸３０１ａに引っ掛かっている。ベース部材４１１は、フレキシブル配線基板４０３と、ストロボ基板４０４と、ストロボコンデンサー４１２を取り付けるための部材である。ベース部材４１１は、ストロボベース３０１とビス締結し、発光ユニット１を構成している。
【００１９】
レバー式検知スイッチ（以下、スイッチと記述）４０３ａは、発光ユニット１が撮像装置に対し、突出、収納位置のいずれにあるのかを検知する。スイッチ４０３ａは、ベース部材４１１が備える穴４１１ａ内に配置されている。スイッチ４０３ａは、フレキシブル配線基板４０３に実装されている。ストロボホルダ４０８の突起４０８ａがスイッチ４０３ａのレバーを押し込んでいるときは発光ユニット１が収納状態であることが検知され、撮像装置が非発光状態に遷移する。突起４０８ａがスイッチ４０３ａのレバーから離れたときは、発光ユニット１が突出状態であることが検知され、撮像装置が発光状態に遷移する。
【００２０】
図４は、レンズ鏡筒と発光ユニットとの連動を説明する図である。図４（Ａ）は、レンズ鏡筒に発光ユニット１への連動機構が組み付けられた状態におけるレンズ鏡筒の斜視図を示す。発光ユニット１（例えばストロボ）を保持する保持部材の機能を有するスライダ３７が、鏡筒ベース３２に保持されたスライダシャフト３８に案内され、光軸方向へ移動可能に支持されている。すなわち、スライダシャフト３８は、スライダ３７の移動を光軸方向に規制する規制部材として機能する。
【００２１】
図４（Ｂ）は、図４（Ａ）に示すレンズ鏡筒の正面図である。図４（Ｃ）は、図４（Ｂ）に示すレンズ鏡筒のＡ−Ａ断面図である。図４（Ｃ）中には、スライダ３７の駆動源である駆動環３０と係合する箇所の断面を示す。図４（Ｃ）に示すように、スライダ３７が備える光軸に直交する筒状ガイド部に、移動可能な非弾性体のスライダフォロワー３９が収納されている。また、駆動環３０の外径側に、溝部（第１の溝部）であるストロボカム３０ａが設けられている。スライダフォロワー３９は、ストロボカム３０ａにカム係合し、駆動環３０の回転に連動してストロボカム３０ａに追従する追従部として機能する。圧縮バネ４０は、ストロボカム３０ａに対してカム係合するスライダフォロワー３９を駆動環３０の外周面の法線に沿った方向に付勢する第１の付勢部材として機能する。すなわち、スライダ３７は、第１の付勢部材（圧縮バネ４０）と追従部（スライダフォロワー３９）とが設けられ、追従部が第１の溝部に追従することによって、第１の溝部に沿って移動する可動部材として機能する。
【００２２】
駆動環３０が光軸を中心に回動することにより、ストロボカム３０ａにカム係合しているストロボフォロワー３９を介し、スライダフォロワー３９と一体化して動作するスライダ３７が光軸方向に移動する。図５を参照して説明するように、スライダ３７の移動に伴って発光ユニット１は収納状態と突出状態とに切り替わる。従って、駆動環３０の回動に連動して発光ユニット１の状態が切り替わる。
【００２３】
図５は、発光ユニットの状態の切り替わりを説明する図である。図５（Ａ）は発光ユニット１の収納状態を示す。収納状態は、発光ユニット１が収納された状態である。図５（Ｂ）は、スライダ３７がストロボホルダ４０８の突起４０８ｂに当接した状態を示す。図５（Ｃ）は、発光ユニット１の突出状態を示す。突出状態は、発光ユニット１が撮像装置に対し突出した状態、すなわち、発光ユニット１の使用時の状態を示す。発光ユニット１は、収納状態と突出状態との間で付勢方向が切り替わるトグルバネ４０９により、収納状態、突出状態のそれぞれにおいて安定的に支持される。すなわち、トグルバネ４０９は、突出状態と収納状態とにおいて発光ユニット１を付勢することによって、発光ユニット１の状態を保つ第２の付勢部材として機能する。
【００２４】
図５（Ａ）に示すように、スライダ３７のＵ字部３７ａは、発光ユニット１が備えるストロボホルダ４０８から突出した突起４０８ｂを挟み込むように構成される。スライダ３７は、トグルバネ４０９による付勢力に抗して発光ユニット１の状態を切り替えるための動力を発光ユニット１に伝達する。具体的には、スライダ３７は、その光軸方向Ｚへの移動に伴って、突起４０８ｂを押圧し（図５（Ｂ）を参照）、発光ユニット１は、ストロボシャフト３０２を中心として回転力を受ける。この回転力がトグルバネ４０９の付勢力に抗して発光ユニット１を持ち上げ、トグルバネ４０９の付勢方向を切り替える。これにより、図５（Ｃ）に示すように、発光ユニット１が突出状態に遷移する。発光ユニット１を突出状態から収納状態へ遷移させる場合は、上述した発光ユニット１が収納状態から突出状態へ遷移する場合の動作と逆の動作が行われる。
【００２５】
図６は、撮像装置の操作に伴うスライダの動作例を示す図である。図６（Ａ）は、駆動環３０の外周部を示す。図６（Ａ）中に示すＳＩＮＫ位置、ＷＩＤＥ位置、ＴＥＬＥ位置は、撮像装置の使用位置である。ＳＩＮＫ位置は、非撮影状態、すなわちレンズ鏡筒が沈胴している状態を示す。ＷＩＤＥ位置及びＴＥＬＥ位置は、撮影状態を示す。ＷＩＤＥ位置は、撮像装置が備えるズームレンズ機構のワイドの状態に対応する。ＴＥＬＥ位置は、撮像装置が備えるズームレンズ機構のテレの状態に対応する。
【００２６】
図６（Ｂ）は、ＳＩＮＫ位置におけるストロボフォロワー３９とスライダ３７と駆動環３０周りの断面図を示す。図６（Ｃ）は、ＷＩＤＥ位置〜ＴＥＬＥ位置におけるストロボフォロワー３９とスライダ３７と駆動環３０周りの断面図を示す。撮像装置の電源がＯＮとなって、駆動環３０が図６（Ａ）中のα方向に回転すると、ストロボフォロワー３９が、駆動環３０のカム面３０ａａに当接してスライダ３７と一体的に被写体側に押され、移動を始める。このときの状態は、前述した図５（Ｂ）に示す状態に対応する。ストロボフォロワー３９が徐々に動かされ、トグルバネ４０９（図３）の付勢方向が切り替わると、ストロボフォロワー３９が、駆動環３０のカム面３０ａｂに押し付けられる。このときの状態は、前述した図５（Ｃ）に示す状態に対応する。ストロボフォロワー３９は、更に、カム底の低い面３０ａｃからカム底の高い面３０ａｅとを滑らかに繋ぐ傾斜部３０ａｄを上って、ＷＩＤＥ位置に達する。この時、ストロボフォロワー３９は、図６（Ｃ）に示すようにストロボフォロワー３９が圧縮バネ４０を圧縮して駆動環３０の外周面の法線方向（ストロボフォロワー３９の中心軸方向）に押し上げられている。ＷＩＤＥ位置からＴＥＬＥ位置の間では、鏡筒駆動の負荷変動を無くすために、ストロボカム３０ａのカム底面３０ａｅは一定の高さに保たれており、ストロボフォロワー３９は同じ負荷（圧縮バネ４０の駆動環３０に対する押圧力）でＴＥＬＥ位置まで達する。
【００２７】
ＴＥＬＥ位置において電源がＯＦＦされた場合は、ストロボフォロワー３９は、上述した電源がＯＮされた場合に辿るルートと逆のルートを辿ってＳＩＮＫ位置に戻る。電源がＯＦＦとなって駆動環３０が図６（Ａ）中のα方向と逆の方向に回転すると、ストロボフォロワー３９は、負荷一定のままＷＩＤＥ位置を通過する。そして、ストロボフォロワー３９は、ストロボカム３０ａの傾斜部３０ａｄを下って駆動環３０のカム面３０ａｂに当接してスライダ３７と一体的に撮像面側に押され、移動を開始する。ストロボフォロワー３９が徐々に動かされ、トグルバネ４０９の付勢方向が切り替わると、ストロボフォロワー３９は駆動環３０のカム面３０ａａに押し付けられ、最終的にＳＩＮＫ位置に達する。この時、ストロボフォロワー３９は、図６（Ｂ）に示すように、駆動環３０の外周面の法線方向（ストロボフォロワー３９の中心軸方向）に下がるので、圧縮バネ４０の付勢力を少し開放することになる。ＷＩＤＥ位置からＳＩＮＫ位置の間では、レンズ鏡筒に備わる不図示のバリア部を閉じる負荷がレンズ鏡筒の負荷として加わる。従って、実施例１の撮像装置によれば、ストロボフォロワー３９の負荷が少なくなるので、レンズ鏡筒全体の駆動負荷が軽減される。
【００２８】
実施例１の撮像装置では、ＷＩＤＥ位置からＴＥＬＥ位置までの領域におけるストロボカム３０ａのカム溝の深さは、ＳＩＮＫ位置からＷＩＤＥ位置までの領域におけるカム溝の深さより浅い。すなわち、ストロボカム３０ａは、駆動環３０の回転方向の第１の領域（ＳＩＮＫ位置からＷＩＤＥ位置までの領域）において第１の深さを有し、第２の領域（ＷＩＤＥ位置からＴＥＬＥ位置までの領域）において前記第１の深さより浅い第２の深さを有する。従って、図６（Ｃ）に示すように、ストロボカム３０ａより駆動環３０の内径側に、駆動環３０に貫通部分を作ることなく溝３１を設けることができる。カム溝の深さが浅いと、ストロボフォロワー３９のストロボカム３０ａとの掛かり量は少なくなるが、圧縮バネ４０の付勢力がストロボフォロワー３９をストロボカム３０ａに押し付けることで、安定した動作を保つことができる。本実施例において、スライダ３７は、撮像装置が非撮影状態から撮影状態に移行するまでの間に上記第１の領域上を移動し、撮像装置が撮影状態である場合に上記第２の領域上を移動する。
【００２９】
図７は、駆動環に設けられた溝の位置関係を示す図である。本実施例においては、上記第２の領域（ＷＩＤＥ位置からＴＥＬＥ位置までの領域）には溝３１が設けられており、第１の領域（ＳＩＮＫ位置からＷＩＤＥ位置までの領域）には溝３１が設けられていない。図７（ａ）はストロボカム３０ａのカム溝の深さが深い、第１の領域の断面を示す。図７（Ｂ）はカム溝の深さが浅い、第２の領域の断面を示す。図７（Ａ）において、駆動環３０ａの厚さはｔ１、ストロボフォロワー３９の掛かり量はｔ２、移動カム環１９の駆動ピン２８の掛かり量はｔ３である。ストロボフォロワー３９と駆動ピン２８とが、厚さｔ４だけオーバーラップしている。すなわち、本実施例では、上記第１の領域において、ストロボフォロワー３９と駆動ピン３８との駆動環３０の外周面の法線に沿った方向の位置が互いに重複する。具体的には、ｔ１＜ｔ２＋ｔ３という寸法関係になっている。これにより、ｔ１という限られた厚さの中で十分な掛かり量を取ることができる。
【００３０】
図７（Ｂ）に示すように、溝３１が設けられる部分（第２の領域）においては、カム溝の深さを浅くしてストロボフォロワー３９の掛かり量をｔ５（ｔ５＜ｔ２）として駆動ピン２８との間隔をｔ６だけ取れるようにしている。すなわち、上記第２の領域において、ストロボフォロワー３９と駆動ピン３８との駆動環３０の外周面の法線に沿った方向の位置が互いに重複しない。これにより、駆動環３０の厚さｔ２の中で通常は十分な掛かり量を保ち、溝３１が設けられた部分についてはカム溝を浅くしてストロボフォロワー３９をδ方向に移動させることができる。その結果、駆動環３０に貫通部分を作ることなくストロボカム３０ａを配置することができる。
【００３１】
なお、ＳＩＮＫ位置からＷＩＤＥ位置の間で、ストロボカム３０ａのカム底の高い面３０ａｅからカム底の低い面３０ａｃへと変化させることに加えて、ストロボカム３０ａの幅を広げるようにしてもよい。すなわち、駆動環３０の回転方向の第１の領域（ＳＩＮＫ位置からＷＩＤＥ位置までの領域）におけるストロボカム３０ａのカム溝の幅が、第２の領域（ＷＩＤＥ位置からＴＥＬＥ位置までの領域）におけるカム溝の幅より広くなるようにしてもよい。これは、ストロボフォロワー３９をストロボカム３０ａのカム底の低い面３０ａｃに接触させるまで下げることで、スライダ３７を光軸方向に移動させるような大きな力をストロボカム３０ａから受ける時の係り量を増やすためである。このように、ストロボフォロワー３９の掛かり量を増やすことと鏡筒負荷を少しでも減らすためには、ストロボカム３０ａの幅方向も広げることが望ましいが、ストロボカム３０ａのカム底の高さを変更するだけでも発光ユニットの動作としては問題ない。なお、ストロボカム３０ａのカム底の高さを変更せずに、ＳＩＮＫからＷＩＤＥ位置の間でカム溝の幅を広げて、ストロボフォロワー３９をカム底まで下げるようにしてもよい。また、本実施例では、駆動環３０の内側に施した溝３１は、移動カム環１９に回転を伝達するための直進溝であるが、溝３１は、直進溝に限定されず、凹形状の溝であればよい。
【００３２】
以下に、図８及び図９を参照して、実施例２の撮像装置を説明する。実施例２の撮像装置は、例えば、ファインダーとズーム可能なストロボとを外部装置として備える。実施例２における駆動環３０と外部装置との連動は、実施例１における駆動環３０と外部装置との連動と同様である。また、実施例２においても、実施例１と同様に、外部装置の駆動に用いるカム溝の深さが、撮像装置の使用位置に応じて遷移する。また、実施例２においても、実施例１と同様に、外部装置の駆動に用いるカム溝の幅が、撮像装置の使用位置に応じて遷移するようにしてもよい。
【００３３】
図８は、撮像装置が備えるファインダーとストロボの動作を説明する図である。図８（Ａ）は、撮像装置が備える駆動環３０の外周部を示す。図８（Ｂ）は、撮像装置の使用位置がＳＩＮＫ位置である場合の駆動環３０の外周部を示す。図８（Ｃ）は、撮像装置の電源がＯＮとなって駆動環３０が図８（Ａ）中のβ方向に回転し、撮像装置の使用位置がＷＩＤＥ位置になった状態を示す。図示を省略するＴＥＬＥ位置はＷＩＤＥ位置から更に駆動環３０がβ方向に回転した状態に対応し、このＴＥＬＥ位置ではファインダーカム３０ｂと３０ｃは互いに近づく方向となる。
【００３４】
図８（Ｂ）に示すファインダーレンズ５１、５２は、ファインダーの構成部材のうち、駆動環３０によって駆動される部材である。ファインダーレンズ５１、５２は、対応するカムフォロワーが駆動環３０の回転に連動してファインダーカム（３０ｂ、３０ｃ）に追従することによって、ファインダーカムに沿って移動する可動部材である。
【００３５】
ストロボホルダ５４は、ストロボを保持する保持部材である。ストロボホルダ５４は、駆動環３０によって駆動される可動部材である。具体的には、ストロボホルダ５４は、対応するカムフォロワー（ストロボフォロワー５６）が駆動環３０の回転に連動してストロボカム３０ｄに追従することによって、ストロボカム３０ｄに沿って移動する。ファインダーレンズ５１、５２、ストロボホルダ５４は、実施例１のスライダ３７にスライダフォロワー３９と圧縮バネ４０が施されているのと同様に、それぞれ、カムフォロワーと圧縮バネが施されている。これにより、ファインダーレンズ５１、５２、ストロボホルダ５４は、対応するカムフォロワーの中心軸方向に進退可能になっている。なお、ストロボホルダ５４の圧縮バネは、図９に示す圧縮バネ５７である。また、ファインダーレンズ５１は、対応するカムフォロワーと圧縮バネとが収納される部分と一体的に成形されている。
【００３６】
ファインダーレンズ５１、５２には、ファインダーシャフト５０が通されている。これにより、各々のファインダーレンズは、光軸方向にのみ移動することができる。同様に、ストロボホルダ５４には、ストロボシャフト５３が通されている。これにより、ストロボホルダ５４は、光軸方向のみに移動することができる。ファインダーシャフト５０とストロボシャフト５３とプリズムパネル５５は不図示のベース部材に固定され、それぞれファインダーレンズ５１と５２の進退でファインダーのズーム、ストロボホルダ５４の進退でストロボのズームが行われる。ファインダーレンズ５１と５２の間には不図示の引張りバネが掛けられており、ストロボホルダには被写体側に付勢されるようにしてガタ取りをしている。駆動環３０の動力源からの駆動伝達は実施例１と同様であるため、説明を省略する。
【００３７】
図８（Ａ）に示すように、駆動環３０に、上述したファインダーレンズ５１、５２、ストロボホルダ５４を駆動するためのカムが施されている。ファインダーレンズ５１はファインダーカム３０ｃ、ファインダーレンズ５２はファインダーカム３０ｂ、ストロボホルダ５４はストロボカム３０ｄに、対応するカムフォロワーが係合している。ここで、ファインダーカム３０ｃ、３０ｂ、ストロボカム３０ｄは、撮像装置の使用位置がＳＩＮＫ位置からＴＥＬＥ位置に遷移するまでの間、カム溝の深さが順次変化する。ファインダーカム３０ｂについては、ＳＩＮＫ位置からＷＩＤＥ位置までのカム面であるカム面３０ｂａは同じ深さである。ファインダーレンズ５２に対応するカムフォロワーは、駆動環３０の回転と連動し、ＷＩＤＥ位置を通過して傾斜部３０ｂｂを上り、カム面３０ｂａよりも浅いカム面であるカム面３０ｂｃに達する。このカムフォロワーがカム面３０ｂｃから更に進むと、傾斜部３０ｂｄを下ってカム面３０ｂｅに到達し、そのまま同じ深さでＴＥＬＥ位置まで進む。ファインダーカム３０ｃ、ストロボカム３０ｄのカム面についても、上述したファインダーカム３０ｂに設けられているカム面の高低差と同様の高低差が設けられている。例えば、ファインダーカム３０ｃに設けられたカム面ｃａ、傾斜部ｃｂ、カム面ｃｃ、傾斜部ｃｄ、カム面ｃｅは、それぞれ、カム面ｂａ、傾斜部ｂｂ、カム面ｂｃ、傾斜部ｂｄ、カム面ｂｅと同様である。また、ストロボカム３０ｄに設けられたカム面ｄａ、傾斜部ｄｂ、カム面ｄｃ、傾斜部ｄｄ、カム面ｄｅは、それぞれ、カム面ｂａ、傾斜部ｂｂ、カム面ｂｃ、傾斜部ｂｄ、カム面ｂｅと同様である。
【００３８】
図８（Ｂ）中に示す駆動環３０には、撮像装置が備える移動カム環１９に回転動力を伝達するための溝３１が３箇所に施されており、その一つがファインダーカム３０ｂ、３０ｃ、ストロボカム３０ｄと交差する位置関係になっている。図８（Ｂ）の点線で示した溝３１は、浅いカム面であるカム面３０ｂｃ、カム面３０ｃｃ、カム面３０ｄｃの真下を通過する。これにより、図９（Ｂ）に示すように、フォロワー（図９（Ｂ）ではストロボフォロワー５６）が駆動環３０を貫通しないようにすることができる。その結果、有害光が鏡筒内部に進入する恐れもなくなり、外部から入り込んできた砂ゴミ等の進入も防ぐことができる。
【００３９】
図９は、ストロボフォロワーの動作を説明する図である。ストロボフォロワー５６は、ＳＩＮＫ位置から図９（Ａ）に示す状態で図８（Ａ）中のカム面３０ｄａから傾斜部３０ｄｂを通る。カムが浅くなるに従い、ストロボフォロワー５６が図９（Ｂ）中のγ方向に押し上げられ、圧縮バネ５７が圧縮されながらストロボフォロワー５６がカム面３０ｄｃに到達する。この時の状態が図９（Ｂ）に示す状態である。ストロボフォロワー５６が更に進むと、傾斜部３０ｄｄでカム溝が深くなり、カム面ｄｅでは再び圧縮バネが少し開放されて、図９（Ａ）の状態となる。ファインダーレンズ５１、５２に対応するカムフォロワーの動作は、上述したストロボフォロワー５６の動作と同様である。
【００４０】
また、バリア開閉の負荷が重なるＳＩＮＫ位置からＷＩＤＥ位置の間では、深さについて、カム面３０ｂａ＞カム面３０ｂｅ、カム面３０ｃａ＞カム面３０ｃｅ、カム面３０ｄａ＞カム面３０ｄｅという関係が成立するようにするのが望ましい。各フォロワーと移動カム環１９の駆動ピンとの配置についても、実施例１と同様に、溝３１がない部分ではオーバーラップさせるようにすることができる。これにより、ファインダー又はストロボの動作の安定性が保たれる。以上、本発明の好ましい実施形態について説明したが、本発明はこれらの実施形態に限定されず、その要旨の範囲内で種々の変形及び変更が可能である。
【符号の説明】
【００４１】
３０  駆動環
３０ａ  ストロボカム
３１  溝
３７  スライダ
３９  スライダフォロワー
【図１】
2011158792.tif 000003
【図２】
2011158792.tif 000004
【図３】
2011158792.tif 000005
【図４】
2011158792.tif 000006
【図５】
2011158792.tif 000007
【図６】
2011158792.tif 000008
【図７】
2011158792.tif 000009
【図８】
2011158792.tif 000010
【図９】
2011158792.tif 000011